【手続補正書】
【提出日】令和2年3月18日(2020.3.18)
【手続補正１】
【補正対象書類名】特許請求の範囲
【補正対象項目名】全文
【補正方法】変更
【補正の内容】
【特許請求の範囲】
【請求項１】
撮像手段で撮像されたライブビュー画像の拡大指示を行う拡大指示手段と、
手動によるフォーカスの調整の操作を受け付けるＭＦ操作手段と、
前記拡大指示手段による拡大指示があったことに応じて前記ライブビュー画像を第１の倍率で拡大表示するように制御し、
前記ＭＦ操作手段が前記操作を受け付けたことに応じて、前記第１の倍率と、前記ＭＦ操作手段が前記操作を受け付けたことに応じて前記ライブビュー画像を表示する倍率として予め定められた第２の倍率とのうち、大きい方の倍率で前記ライブビュー画像を表示するように制御し、
前記撮像手段による撮影が完了した後に、前記拡大指示手段によって拡大指示された倍率で前記ライブビュー画像を表示するように制御する制御手段と
を有することを特徴とする撮像制御装置。
【請求項２】
前記第２の倍率をユーザーの操作に応じて選択する選択手段をさらに有することを特徴とすることを特徴とする請求項１に記載の撮像制御装置。
【請求項３】
前記第１の倍率と前記第２の倍率とを比較する比較手段を有し、
前記制御手段は、前記比較手段の比較の結果から、前記第１の倍率と前記第２の倍率との大きい方の倍率で前記ライブビュー画像を表示するように制御することを特徴とする請求項１または２に記載の撮像制御装置。
【請求項４】
前記拡大指示手段の拡大指示によって前記ライブビュー画像を拡大させる際の前記第１の倍率をユーザーの操作に応じて決定する決定手段をさらに有することを特徴とする請求項１乃至３のいずれか１項に記載の撮像制御装置。
【請求項５】
前記ＭＦ操作手段が前記操作に応じて前記第１の倍率で拡大表示を行う場合、前記制御手段は、前記第１の倍率で前記ライブビュー画像を表示する旨を併せて表示するように制御することを特徴とする請求項１乃至４のいずれか１項に記載の撮像制御装置。
【請求項６】
前記第１の倍率および前記第２の倍率の設定値を記憶する記憶手段をさらに有することを特徴とする請求項１乃至５のいずれか１項に記載の撮像制御装置。
【請求項７】
撮像手段で撮像されたライブビュー画像の拡大指示を行う拡大指示手段と、
手動によるフォーカスの調整の操作を受け付けるＭＦ操作手段と、
前記拡大指示手段による拡大指示があったことに応じて前記ライブビュー画像を第１の倍率で拡大表示するように制御し、
前記ＭＦ操作手段が前記操作を受け付けたことに応じて、前記第１の倍率よりも大きい倍率で前記ライブビュー画像を表示するように制御する制御手段と
を有することを特徴とする撮像制御装置。
【請求項８】
撮像手段で撮像されたライブビュー画像の拡大指示を行う拡大指示手段と、
手動によるフォーカスの調整の操作を受け付けるＭＦ操作手段と、
前記ＭＦ操作手段が前記操作を受け付けたことに応じて前記ライブビュー画像を最も大きい倍率で拡大表示するか否かの設定を受け付ける設定受付手段と、
前記拡大指示手段による拡大指示があったことに応じて前記ライブビュー画像を第１の倍率で拡大表示するように制御し、
前記ＭＦ操作手段が前記操作を受け付けたことに応じて、前記設定受付手段によって前記最も大きい倍率で拡大表示する設定となっていない場合は、前記第１の倍率で前記ライブビューを表示するように制御し、前記設定受付手段によって前記最も大きい倍率で拡大表示する設定となっている場合は、前記最も大きい倍率で前記ライブビュー画像を表示するように制御する制御手段と
を有することを特徴とする撮像制御装置。
【請求項９】
撮像手段で撮像されたライブビュー画像の拡大指示を行う拡大指示手段と、
手動によるフォーカスの調整の操作を受け付けるＭＦ操作手段と、
前記拡大指示手段による拡大指示があったことに応じて前記ライブビュー画像を第１の倍率で拡大表示するように制御し、
前記ＭＦ操作手段が前記操作を受け付けたことに応じて、前記第１の倍率に、前記ＭＦ操作手段が前記操作を受け付けたことに応じて前記ライブビュー画像を表示する倍率として予め定められた第２の倍率を乗算した倍率で前記ライブビュー画像を表示するように制御する制御手段と
を有することを特徴とする撮像制御装置。
【請求項１０】
前記第１の倍率および前記第２の倍率の設定値を記憶する記憶手段をさらに有することを特徴とする請求項９に記載の撮像制御装置。
【請求項１１】
前記ＭＦ操作手段は、前記撮像手段による撮影準備動作が開始された後に手動によるフォーカスの調整の操作を受け付け可能であり、前記撮影準備動作は、オートフォーカスによる調整を含むことを特徴とする請求項１乃至１０のいずれか１項に記載の撮像制御装置。
【請求項１２】
前記ＭＦ操作手段は、前記オートフォーカスによる調整が行われた位置からフォーカスの調整を受け付けることを特徴とする請求項１１に記載の撮像制御装置。
【請求項１３】
前記撮像手段による撮影が完了した後に、前記制御手段は、前記拡大指示手段によって拡大指示された倍率で前記ライブビュー画像を表示するように制御することを特徴とする請求項７乃至１０のいずれか１項に記載の撮像制御装置。
【請求項１４】
手動によるフォーカスの調整の操作を受け付けるＭＦ操作手段を有する撮像制御装置の制御方法であって、
撮像手段で撮像されたライブビュー画像の拡大指示を行う拡大指示工程と、
前記拡大指示工程における拡大指示があったことに応じて前記ライブビュー画像を第１の倍率で拡大表示するように制御し、前記ＭＦ操作手段が前記操作を受け付けたことに応じて、前記第１の倍率と、前記ＭＦ操作手段が前記操作を受け付けたことに応じて前記ライブビュー画像を表示する倍率として予め定められた第２の倍率とのうち、大きい方の倍率で前記ライブビュー画像を表示するように制御し、前記撮像手段による撮影が完了した後に、前記拡大指示工程によって拡大指示された倍率で前記ライブビュー画像を表示するように制御する制御工程と
を有することを特徴とする撮像制御装置の制御方法。
【請求項１５】
手動によるフォーカスの調整の操作を受け付けるＭＦ操作手段を有する撮像制御装置の制御方法であって、
撮像手段で撮像されたライブビュー画像の拡大指示を行う拡大指示工程と、
前記拡大指示工程における拡大指示があったことに応じて前記ライブビュー画像を第１の倍率で拡大表示するように制御し、前記ＭＦ操作手段が前記操作を受け付けたことに応じて、前記第１の倍率よりも大きい倍率で前記ライブビュー画像を表示するように制御する制御工程と
を有することを特徴とする撮像制御装置の制御方法。
【請求項１６】
手動によるフォーカスの調整の操作を受け付けるＭＦ操作手段を有する撮像制御装置の制御方法であって、
撮像手段で撮像されたライブビュー画像の拡大指示を行う拡大指示工程と、
前記ＭＦ操作手段が前記操作を受け付けたことに応じて前記ライブビュー画像を最も大きい倍率で拡大表示するか否かの設定を受け付ける設定受付工程と、
前記拡大指示工程における拡大指示があったことに応じて前記ライブビュー画像を第１の倍率で拡大表示するように制御し、前記ＭＦ操作手段が前記操作を受け付けたことに応じて、前記設定受付工程において前記最も大きい倍率で拡大表示する設定となっていない場合は、前記第１の倍率で前記ライブビューを表示するように制御し、前記設定受付工程において前記最も大きい倍率で拡大表示する設定となっている場合は、前記最も大きい倍率で前記ライブビュー画像を表示するように制御する制御工程と
を有することを特徴とする撮像制御装置の制御方法。
【請求項１７】
手動によるフォーカスの調整の操作を受け付けるＭＦ操作手段を有する撮像制御装置の制御方法であって、
撮像手段で撮像されたライブビュー画像の拡大指示を行う拡大指示工程と、
前記拡大指示工程における拡大指示があったことに応じて前記ライブビュー画像を第１の倍率で拡大表示するように制御し、前記ＭＦ操作手段が前記操作を受け付けたことに応じて、前記第１の倍率に、前記ＭＦ操作手段が前記操作を受け付けたことに応じて前記ライブビュー画像を表示する倍率として予め定められた第２の倍率を乗算した倍率で前記ライブビュー画像を表示するように制御する制御工程と
を有することを特徴とする撮像制御装置の制御方法。
【請求項１８】
コンピュータを、請求項１乃至１３のいずれか１項に記載の撮像制御装置の各手段として機能させるためのプログラム。
【請求項１９】
コンピュータを、請求項１乃至１３のいずれか１項に記載の撮像制御装置の各手段として機能させるためのプログラムを格納したコンピュータが読み取り可能な記憶媒体。
【手続補正２】
【補正対象書類名】明細書
【補正対象項目名】０００７
【補正方法】変更
【補正の内容】
【０００７】
本発明に係る撮像制御装置は、撮像手段で撮像されたライブビュー画像の拡大指示を行う拡大指示手段と、手動によるフォーカスの調整の操作を受け付けるＭＦ操作手段と、前記拡大指示手段による拡大指示があったことに応じて前記ライブビュー画像を第１の倍率で拡大表示するように制御し、前記ＭＦ操作手段が前記操作を受け付けたことに応じて、前記第１の倍率と、前記ＭＦ操作手段が前記操作を受け付けたことに応じて前記ライブビュー画像を表示する倍率として予め定められた第２の倍率とのうち、大きい方の倍率で前記ライブビュー画像を表示するように制御し、前記撮像手段による撮影が完了した後に、前記拡大指示手段によって拡大指示された倍率で前記ライブビュー画像を表示するように制御する制御手段とを有することを特徴とする。